(57)【特許請求の範囲】
【請求項１】
複数の動作モードを有する画像形成装置であって、
各動作モードに応じた電圧供給を実行するための電源装置を備え、
前記電源装置は、
交流電源と接続され、第１の動作モードにおいて前記画像形成装置内で用いられる第１の直流電圧を供給するための第１の電源コンバータと、
前記交流電源を駆動電源として、前記第１の電源コンバータと前記交流電源との間の電源供給の経路を導通／非導通状態に設定するためのラッチングリレー回路と、
前記第１の電源コンバータと接続されて前記第１の直流電圧の供給を受けて駆動する電源制御部とを含み、
前記電源制御部は、ジョブ終了後、第１の期間が経過するまでの間にジョブ入力が無い場合には前記第１の動作モードから消費電力の少ない第２の動作モードに移行するために、前記ラッチングリレー回路に指示して前記第１の電源コンバータと前記交流電源との間の電源供給の経路を非導通状態に設定し、
前記第２の動作モードにおいて、前記ラッチングリレー回路は、所定の操作指示に従って前記第１の電源コンバータと前記交流電源との間の電源供給の経路を導通状態に設定し、
前記第１の電源コンバータは、前記第１の直流電圧の電圧を保持するための電解コンデンサと、
前記第１の直流電圧と前記電解コンデンサとの間の経路を導通／非導通状態に設定するための遮断回路とを含み、
前記遮断回路は、前記ラッチングリレー回路の導通状態に従って、導通状態に設定され、前記ラッチングリレー回路の非導通状態に従って、非導通状態に設定される、画像形成装置。
【請求項２】
前記所定の操作指示は、前記画像形成装置を操作する操作パネル上に設けられた所定のボタンの押下あるいは、前記画像形成装置に設けられた自動原稿搬送装置に対する所定の操作に相当する、請求項１記載の画像形成装置。
【請求項３】
前記ラッチングリレー回路は、
第１および第２の直流コイルと、
前記第１および第２の直流コイルにそれぞれ流れる電流に従う電磁力により前記第１の電源コンバータと前記交流電源との間の電源供給の経路を導通／非導通状態にそれぞれ設定するためのスイッチング素子と、
前記第１および第２の直流コイルに直流電圧を供給するためのコイル駆動回路とを含む、請求項１または２に記載の画像形成装置。
【請求項４】
前記電源装置は、前記交流電源と接続され、前記第１の動作モードよりも消費電力の大きい第３の動作モードにおいて、前記画像形成装置内で用いられる前記第１の直流電圧よりも大きな第２の直流電圧を供給するための第２の電源コンバータをさらに備える、請求項１〜３のいずれかに記載の画像形成装置。
【請求項５】
前記第２の電源コンバータは、前記交流電源と前記第２の電源コンバータと間の電源供給の経路を導通／非導通状態に設定するためのスイッチング回路を含み、
前記電源制御部は、ジョブ終了後、第１の期間よりも短い第２の期間が経過するまでの間にジョブ入力が無い場合には前記第３の動作モードから前記第１の動作モードに移行するために、前記スイッチング回路に指示して前記第２の電源コンバータと前記交流電源との間の電源供給の経路を非導通状態に設定する、請求項４記載の画像形成装置。
【請求項６】
前記電源制御部は、前記画像形成装置内で用いられる前記第１の直流電圧の電圧レベルが所定電圧レベル以下となった場合には、前記ラッチングリレー回路に指示して前記第１の電源コンバータと前記交流電源との間の電源供給の経路を非導通状態に設定する、請求項１〜５のいずれかに記載の画像形成装置。
【発明の詳細な説明】
【技術分野】
【０００１】
この発明は、２電源方式の電源装置を備えた画像形成装置に関する。
【背景技術】
【０００２】
省エネルギ化のため、画像形成装置等の機器には、メインＤＣ／ＤＣコンバータ、サブＤＣ／ＤＣコンバータの２つのコンバータを有する２電源方式の電源装置が設けられている場合がある。
【０００３】
具体的には、メインＤＣ／ＤＣコンバータは、消費電力の大きい通常動作モード時の電源供給用に電源効率を最適化し、サブＤＣ／ＤＣコンバータは消費電力の小さいスタンバイモード時の電源供給用に電源効率を最適化する。
【０００４】
そして、各モードに合せて電源供給を行なうＤＣ／ＤＣコンバータを切換えて、各モードに対して効率が最適化されたＤＣ／ＤＣコンバータから電源供給を行なう方式が採用されている。
【０００５】
一方、消費電力の低減のためにスタンバイモードよりもさらに消費電力が低い低消費電力のモードが設けられる場合も多い。
【０００６】
例えば、特開２００２−６７４４１号公報においては、スタンバイモードである省エネルギーモード時の消費電力をさらに小さくするために、一定時間以上例えば印刷の指示が無い場合には、主要構成部への電源供給を遮断し、さらに、一定時間以上、指示が無い場合には、補助構成部への電源供給も遮断する方式が示されている。
【０００７】
また、例えば、特開２００７ー４７５５６号公報においては、スタンバイモードで所定時間が経過した場合には、コンバータを停止させて消費電力を低減し、コンバータを再起動させる場合には、蓄電手段に蓄えられた電力を用いる方式が提案されている。
【先行技術文献】
【特許文献】
【０００８】
【特許文献１】特開２００２−６７４４１号公報
【特許文献２】特開２００７−４７５５６号公報
【発明の概要】
【発明が解決しようとする課題】
【０００９】
しかしながら、特許文献１における制御回路は補助電源による通電状態が維持されており、消費電力の低減においては十分ではない。
【００１０】
また、特許文献２においては、再起動のために蓄電器を設けた構成が示されており、構成が複雑化するとともに、蓄電器を新たに設ける必要があるためコストも掛かるという問題がある。
【００１１】
本発明は、簡易な構成で、スタンバイモードよりもさらに低消費電力化を図ることが可能な画像形成装置を提供することを目的とする。
【課題を解決するための手段】
【００１２】
本発明のある局面に従う画像形成装置は、複数の動作モードを有する画像形成装置であって、各動作モードに応じた電圧供給を実行するための電源装置を備える。電源装置は、交流電源と接続され、第１の動作モードにおいて画像形成装置内で用いられる第１の直流電圧を供給するための第１の電源コンバータと、交流電源を駆動電源として、第１の電源コンバータと交流電源との間の電源供給の経路を導通／非導通状態に設定するためのラッチングリレー回路と、第１の電源コンバータと接続されて第１の直流電圧の供給を受けて駆動する電源制御部とを含む。電源制御部は、ジョブ終了後、第１の期間が経過するまでの間にジョブ入力が無い場合には第１の動作モードから消費電力の少ない第２の動作モードに移行するために、ラッチングリレー回路に指示して第１の電源コンバータと交流電源との間の電源供給の経路を非導通状態に設定する。第２の動作モードにおいて、ラッチングリレー回路は、所定の操作指示に従って第１の電源コンバータと交流電源との間の電源供給の経路を導通状態に設定する。第１の電源コンバータは、第１の直流電圧の電圧を保持するための電解コンデンサと、第１の直流電圧と電解コンデンサとの間の経路を導通／非導通状態に設定するための遮断回路とを含む。遮断回路は、ラッチングリレー回路の導通状態に従って、導通状態に設定され、ラッチングリレー回路の非導通状態に従って、非導通状態に設定される。
【００１３】
好ましくは、所定の操作指示は、画像形成装置を操作する操作パネル上に設けられた所定のボタンの押下あるいは、画像形成装置に設けられた自動原稿搬送装置に対する所定の操作に相当する。
【００１５】
好ましくは、ラッチングリレー回路は、第１および第２の直流コイルと、第１および第２の直流コイルにそれぞれ流れる電流に従う電磁力により第１の電源コンバータと交流電源との間の電源供給の経路を導通／非導通状態にそれぞれ設定するためのスイッチング素子と、第１および第２の直流コイルに直流電圧を供給するためのコイル駆動回路とを含む。
【００１６】
好ましくは、電源装置は、交流電源と接続され、第１の動作モードよりも消費電力の大きい第３の動作モードにおいて、画像形成装置内で用いられる第１の直流電圧よりも大きな第２の直流電圧を供給するための第２の電源コンバータをさらに備える。
【００１７】
特に、第２の電源コンバータは、交流電源と第２の電源コンバータと間の電源供給の経路を導通／非導通状態に設定するためのスイッチング回路を含む。電源制御部は、ジョブ終了後、第１の期間よりも短い第２の期間が経過するまでの間にジョブ入力が無い場合には第３の動作モードから第１の動作モードに移行するために、スイッチング回路に指示して第２の電源コンバータと交流電源との間の電源供給の経路を非導通状態に設定する。
【００１８】
好ましくは、電源制御部は、画像形成装置内で用いられる第１の直流電圧の電圧レベルが所定電圧レベル以下となった場合には、ラッチングリレー回路に指示して第１の電源コンバータと交流電源との間の電源供給の経路を非導通状態に設定する。
【発明の効果】
【００１９】
本発明のある局面に従う画像形成装置において、電源制御部は、ジョブ終了後、第１の期間が経過するまでの間にジョブ入力が無い場合には第１の動作モードから消費電力の少ない第２の動作モードに移行するために、ラッチングリレー回路に指示して第１の電源コンバータと交流電源との間の電源供給の経路を非導通状態に設定する。第２の動作モードにおいて、ラッチングリレー回路は、所定の操作指示に従って第１の電源コンバータと交流電源との間の電源供給の経路を導通状態に設定する。当該処理により、第２の動作モードにおいては、第１の電源コンバータと交流電源との間の電源供給の経路が切断されているため、電力を消費する状態がほとんどない０Ｗ状態を実現することができ低消費電力化を図ることができる。また、交流電源を駆動電源として、復帰させることが可能であるため、蓄電器を設ける必要が無く、簡易な構成とすることができる。
【図面の簡単な説明】
【００２０】
【図１】本発明の実施の形態に従う画像形成装置の構成を説明する図である。
【図２】本発明の実施の形態に従う画像形成装置１００の概略ブロック図である。
【図３】本発明の実施の形態に従う操作パネル２００について説明する図である。
【図４】本発明の実施の形態に従う電源部８０の回路構成を説明する図である。
【図５】スイッチＳ１〜Ｓ３をオンする期間を説明する図である。
【発明を実施するための形態】
【００２１】
以下に、図面を参照しつつ、本発明の実施の形態について説明する。以下の説明では、同一の部品および構成要素には同一の符号を付してある。それらの名称および機能も同じである。
【００２２】
図１は、本発明の実施の形態に従う画像形成装置の構成を説明する図である。
図１を参照して、画像形成装置１００は複写機を構成し、複数の稼動部で構成される。具体的には、画像形成装置１００は、原稿を搬送する原稿搬送部２０と、搬送された原稿を画像データとして読取る画像読取部２６と、読取った画像データに基づいて画像を形成する画像形成部１０と、記録用紙を給紙する給紙部１５，１６と、記録用紙に転写された画像を定着させるための定着部４０と、記録用紙に対する後処理を実行するための後処理部３０とを含む。また、画像形成装置１００内には、全体を制御する制御部、指示等を入力するための入力部等が設けられる。また、画像形成装置１００内には機内の温度を冷却するための機内用ファン３００も設けられる。
【００２３】
原稿搬送部（自動原稿搬送装置）２０の原稿台２１上に載置された原稿は、搬送ローラ２２等により搬送されて画像読取部２６により読取られて、排紙トレイ２３に排出される。
【００２４】
また、画像読取部２６のＣＣＤ２４は、例えば原稿搬送部２０で搬送された原稿を読取った画像データを取得する。そして、制御部に出力する。
【００２５】
画像形成部１０は、像担持体である感光体、帯電部、露光装置、現像装置、転写ローラ等を有し、搬送される記録用紙Ｐに画像を形成して画像面が未定着である記録済みの記録用紙Ｐを定着部４０へ出力する。なお、本例においては図示されていないが４つの現像装置が設けられており、イエロー、マゼンタ、シアン、ブラックのそれぞれの色を用いてカラープリントが可能であるものとする。
【００２６】
定着部４０は、未定着である記録済みの記録用紙Ｐに対して定着処理を実行する。定着部４０には、ファン３１０と、定着ローラ３１２と、定着ローラ３１２内に設けられたヒータ３１４とが設けられている。
【００２７】
定着部４０から必要に応じて後処理部３０に排出されて、後処理部３０において、パンチング、ステープル処理等の後処理が実行される。
【００２８】
給紙部１５，１６は、記録用紙Ｐを画像形成部１０に給紙する。
給紙部１５には、複数のサイズの異なる記録用紙が収納されたカセット１３２，１４２，１５２が設けられる。カセット１３２，１４２，１５２にそれぞれ対応して、ピックアップローラ１３１，１４１，１５１が設けられ、カセットから記録用紙を画像形成部１０に搬送する。また、給紙部１６からもピックアップローラ１６１を介して画像形成部１０に搬送される。なお、給紙部１５，１６から画像形成部１０に１枚ずつ記録用紙が搬送される。
【００２９】
図２は、本発明の実施の形態に従う画像形成装置１００の概略ブロック図である。
図２を参照して、ここでは、画像形成装置１００の全体を制御する制御部５０と、後処理を実行するための後処理部３０と、記録用紙を給紙する給紙部１５，１６と、操作パネル等を含む入力部６０と、画像を形成するための画像形成部１０と、メモリ７０と、画像読取部２６と、原稿搬送部２０と、定着部４０と、各部に必要な電力を供給するための電源部８０とが設けられる。
【００３０】
制御部５０は、例えば、ＣＰＵ（Central Processing unit）で構成され、メモリ７０に格納された種々のアプリケーションプログラムを読み込んで、各部を制御する。
【００３１】
図３は、本発明の実施の形態に従う操作パネル２００について説明する図である。
図３を参照して、操作パネル２００は、表示部２１２と、画像形成装置１００の電源投入に用いる電源ＯＮボタン２０４と、画像形成装置１００の電源を遮断する電源ＯＦＦボタン２０８と、低消費電力モードから復帰するために用いる復帰ボタン２１４と、１０キー２０２と、スタートボタン２１０とを含む。
【００３２】
表示部２１２上にはタッチパネルが設けられており、表示部２１２上において所定の操作が可能である。
【００３３】
１０キー２０２は、コピー等の枚数を入力するためのボタンである。スタートボタン２１０は、コピー／スキャン等の処理の実行を指示するボタンである。
【００３４】
また、表示部２１２には、各種モードの表示やその他の表示が行われる、そして、タッチパネルによって、表示内容に従った各種設定を行うことができる。例えば、表示部２１２には、通常は、コピー動作やスキャン動作を実行する際に行う基本的／応用的な設定のためのボタンが配置されている。各ボタンを押下すると、その詳細設定を行うための階層画面が表示される。
【００３５】
図４は、本発明の実施の形態に従う電源部８０の回路構成を説明する図である。
図４を参照して、本発明の実施の形態に従う電源部８０は、通常動作モード（負荷が重い状態）の場合に、各部に対する電源供給を実行するためのメイン電源制御部ＣＣ２と、メイン電源制御部ＣＣ２に電源供給を行なうためのメインＤＣ／ＤＣコンバータ８２と、スタンバイモード（負荷が軽い状態）の場合に、電源供給を行なうためのサブ電源制御部ＣＣ４と、サブ電源制御部ＣＣ４に電源供給を行うためのサブＤＣ／ＤＣコンバータ８４とを有している。
【００３６】
また、電源部８０には、メインＤＣ／ＤＣコンバータ８２と交流電源Ｖａｃとの間の電源供給の経路を導通／非導通状態に設定するために設けられているリレー回路ＲＹ１と、サブＤＣ／ＤＣコンバータ８４と交流電源Ｖａｃとの間の電源供給の経路を導通／非導通状態に設定するために設けられているリレー回路ＲＹ２とがさらに設けられている。
【００３７】
リレー回路ＲＹ１は、リレースイッチＲＹ１ｙと、リレーコイルＲＹ１ｘとで構成されており、リレーコイルＲＹ１ｘに流れる電流に従う電磁力に従ってリレースイッチＲＹ１ｙがオン／オフ（導通／非導通）する。
【００３８】
リレー回路ＲＹ２は、ラッチングリレー回路として、リレースイッチＲＹ２ｙと、セット用リレーコイルＲＹ２Ｓｘと、リセット用リレーコイルＲＹ２Ｒｘとで構成されており、セット用リレーコイルＲＹ２Ｓｘに流れる電流に従う電磁力に従ってリレースイッチＲＹ２ｙがオン（導通）する。そして、リセット用リレーコイルＲＹ２Ｒｘに流れる電流に従う電磁力に従ってリレースイッチＲＹ２ｙがオフ（非導通）する。なお、本例においては、リレースイッチＲＹ２ｙが２つ設けられた構成が示されており、同様に動作する。また、セット用リレーコイルＲＹ２Ｓｘ、リセット用リレーコイルＲＹ２Ｒｘをそれぞれ駆動するための駆動回路８６がさらに設けられている。この点については後述する。
【００３９】
交流電源Ｖａｃは、メインＤＣ／ＤＣコンバータ８２と、サブＤＣ／ＤＣコンバータ８４とに電源供給されるようにメインＤＣ／ＤＣコンバータ８２とサブＤＣ／ＤＣコンバータ８４とを並列に接続する。
【００４０】
まず、メインＤＣ／ＤＣコンバータ８２について説明する。
メインＤＣ／ＤＣコンバータ８２において、交流電源Ｖａｃの正極側の電源ラインは、リレースイッチＲＹ１ｙを介してノードＮａと電気的に結合される。また、交流電源Ｖａｃの負極側の電源ラインは、電源ノードＮｂと電気的に結合される。
【００４１】
ノードＮａとノードＮｂとの間には４つのダイオードＤ１〜Ｄ４でブリッジ接続された整流回路が設けられる。具体的には、ダイオードＤ１は、アノード側がノードＮａと結合され、カソード側がノードＮｃと結合される。また、ダイオードＤ２は、アノード側がノードＮｂと結合され、カソード側がノードＮｃと結合される。また、ダイオードＤ３は、アノード側がノードＮｄと結合され、カソード側がノードＮａと結合される。また、ダイオードＤ４は、アノード側がノードＮｄと結合され、カソード側がノードＮｂと結合される。
【００４２】
整流回路の出力ノードであるノードＮｃとノードＮｄとから出力される整流電圧を力率改善回路８８にて力率を改善し、昇圧、平滑、定電圧化する。
【００４３】
そして、平滑コンデンサＣ１と、スイッチＱ２を介してトランスＴ１の一次巻線Ｌ２とが並列に接続される。２次側の構成として、トランスＴ１の二次巻線Ｌ３は、整流ダイオードＤ６を介して電源ノードＮｐと電源ノードＮｑとの間において、平滑コンデンサＣ２と並列に接続される。
【００４４】
また、もう１つの２次側の構成として、トランスＴ１の二次巻線Ｌ４は、整流ダイオードＤ７を介して電源ノードＮｒと電源ノードＮｓとの間において、平滑コンデンサＣ３と並列に接続される。
【００４５】
スイッチＱ２は、スイッチング制御部ＣＣ１によりオンオフ制御（ＰＷＭ制御）され、この動作によりトランスＴ１をスイッチング制御し、出力電圧を所定電圧（２４Ｖ，５Ｖ）となるように制御する。一例として、所定電圧（５Ｖ）は、制御部５０で用いられ、所定電圧（２４Ｖ）は、他のモータ等を有する駆動系の各部で用いられる。
【００４６】
次に、サブＤＣ／ＤＣコンバータ８４について説明する。
サブＤＣ／ＤＣコンバータ８４において、交流電源Ｖａｃの正極側の電源ラインは、リレースイッチＲＹ２ｙを介してノードＮｅと電気的に結合される。また、交流電源Ｖａｃの負極側の電源ラインは、ノードＮｂと電気的に結合される。
【００４７】
ノードＮｅとノードＮｂとの間には４つのダイオードＤ８〜Ｄ１１でブリッジ接続された整流回路が設けられる。具体的には、ダイオードＤ８は、アノード側がノードＮｅと結合され、カソード側がノードＮｆと結合される。また、ダイオードＤ９は、アノード側がノードＮｂと結合され、カソード側がノードＮｆと結合される。また、ダイオードＤ１０は、アノード側がノードＮｇと結合され、カソード側がノードＮｅと結合される。また、ダイオードＤ１１は、アノード側がノードＮｇと結合され、カソード側がノードＮｅと結合される。
【００４８】
整流回路の出力ノードであるノードＮｆとノードＮｇとの間には、リレースイッチＲＹ２ｙを介して平滑コンデンサＣ４と、スイッチＱ３を介してトランスＴ２の一次巻線Ｌ５とが並列に接続される。２次側の構成として、トランスＴ２の二次巻線Ｌ６は、整流ダイオードＤ１２を介して電源ノードＮｔと電源ノードＮｕとの間において、平滑コンデンサＣ５と並列に接続される。
【００４９】
また、リレーコイルＲＹ１ｘとスイッチＱ５とは、電源ノードＮｔと電源ノードＮｕとの間に平滑コンデンサＣ５と並列に接続される。また、リレーコイルＲＹ３ｘとスイッチＱ４とは、電源ノードＮｔと電源ノードＮｕとの間に平滑コンデンサＣ５と並列に接続される。
【００５０】
なお、サブ電源制御部ＣＣ４は、スイッチＱ５を駆動するＭＡＩＮ信号を出力する。また、スイッチＱ４を駆動するＯＦＦ信号を出力する。
【００５１】
スイッチＱ３は、スイッチング制御部ＣＣ３によりオンオフ制御（ＰＷＭ制御）され、この動作によりトランスＴ２をスイッチング制御し、出力電圧を所定電圧（５Ｖ）となるように制御する。一例として、所定電圧（５Ｖ）は、制御部５０で用いられる。
【００５２】
次に、駆動回路８６について説明する。
駆動回路８６は、交流電源Ｖａｃの正極側の電源ラインと接続される電源ノードＮｈと、負極側の電源ラインと接続される電源ノードＮｂとの間に、セット用リレーコイルＲＹ２Ｓｘの駆動回路と、リセット用リレーコイルＲＹ２Ｒｘの駆動回路とを有する。
【００５３】
具体的には、電源ノードＮｈと、ノードＮｖとの間には、互いに並列に接続されたスイッチＳＷ１，ＳＷ２と、ダイオードＤ１３と、抵抗素子Ｒ１とが直列に接続される。また、ノードＮｖと電源ノードＮｂとの間には、リレーコイルＲＹ２Ｓｘと、ツェナ−ダイオードＺＤ１と、コンデンサＣ６とが互いに並列に接続される。
【００５４】
電源ノードＮｈと、ノードＮｗとの間には、互いに並列に接続されたスイッチＳＷ３と、リレー回路ＲＹ３のリレースイッチＲＹ３ｙと、ダイオードＤ１４と、抵抗素子Ｒ２とが直列に接続される。また、ノードＮｗと電源ノードＮｂとの間には、リレーコイルＲＹ２Ｒｘと、ツェナ−ダイオードＺＤ２と、コンデンサＣ７とが互いに並列に接続される。
【００５５】
ここで、スイッチＳ１は、上述した電源ＯＮボタン２０４と連動しており、電源ＯＮボタン２０４を押下することによりスイッチＳ１が導通するものとする。また、スイッチＳ２は、上述した復帰ボタン２１４と連動しており、復帰ボタン２１４を押下することによりスイッチＳ２が導通するものとする。また、スイッチＳ３は、画像形成装置１００の電源を遮断する電源ＯＦＦボタン２０８と連動しており、電源ＯＦＦボタン２０８を押下することによりスイッチＳ３が導通するものとする。
【００５６】
図５は、スイッチＳ１〜Ｓ３をオンする期間を説明する図である。
図５を参照して、ラッチングリレー回路を駆動するために一定期間ＯＮするものとする。本例においては、一例として２００ｍｓの期間ＯＮするものとする。
【００５７】
次に、図１の電源部８０の通常動作モードの起動時の動作について説明する。
まず、電源ＯＮボタン２０４を押下することによりスイッチＳ１が導通する。これにより交流電源Ｖａｃが駆動回路８６とが電気的に結合される。交流電圧は、ダイオードＤ１３に半波整流され、抵抗素子Ｒ１とリレーコイルＲＹ２Ｓｘの直流抵抗成分により分圧される。この分圧された信号をコンデンサＣ６にて平滑し、ツェナ−ダイオードＺＤ１によりリレーコイルＲＹ２Ｓｘの印加最大電圧以下にクランプする。これにより、リレースイッチＲＹ２ｙがオン（導通）する。
【００５８】
これにより、サブＤＣ／ＤＣコンバータ８４と交流電源Ｖａｃとが電気的に結合される。また、平滑コンデンサＣ４と直列に設けられたリレースイッチＲＹ２ｙもオン（導通）し、平滑コンデンサＣ４とノードＮｆとが電気的に結合される。
【００５９】
そして、サブＤＣ／ＤＣコンバータ８４は、ダイオードＤ８〜Ｄ１１により交流電圧を整流し、さらに、平滑コンデンサＣ４で平滑する。
【００６０】
そして、平滑された電圧をトランスＴ２により変圧し、二次側へ供給する。そして、２次側で生成された電圧は整流ダイオードＤ１２により整流され、平滑コンデンサＣ５により平滑する。そして、所定電圧（５Ｖ）がサブ電源制御部ＣＣ４に供給される。
【００６１】
サブ電源制御部ＣＣ４は、所定電圧の供給に従い起動し、ＭＡＩＮ信号をオンする。すなわち、ＭＡＩＮ信号を「Ｈ」レベルに設定する。
【００６２】
ＭＡＩＮ信号が「Ｈ」レベルに設定されることに伴い、スイッチＱ５がオンする。これにより、リレーコイルＲＹ１ｘに電流が流れ、リレー回路ＲＹ１のリレースイッチＲＹ１ｙがオン（導通）する。
【００６３】
これにより、メインＤＣ／ＤＣコンバータ８２と交流電源Ｖａｃとが電気的に結合される。そして、メインＤＣ／ＤＣコンバータ８２は、ダイオードＤ１〜Ｄ４により交流電圧を整流し、さらに、平滑コンデンサＣ１で平滑する。
【００６４】
そして、平滑された電圧をトランスＴ１により変圧し、二次側へ供給する。そして、２次側で生成された電圧は整流ダイオードＤ６，Ｄ７により整流され、平滑コンデンサＣ２，Ｃ３により平滑する。そして、所定電圧（２４Ｖ，５Ｖ）がメイン電源制御部ＣＣ２に供給される。
【００６５】
これにより、メイン電源制御部ＣＣ２が起動し、通常動作モードとして必要な電圧が画像形成装置の各部に供給される。
【００６６】
次に、画像形成装置１００において、一定時間、プリントジョブ等のジョブの入力が無かった場合について説明する。
【００６７】
一定時間、プリントジョブ等のジョブの入力が無い場合には、通常動作モードからスタンバイモードに移行する。制御部５０は、電源部８０のメイン電源制御部ＣＣ２にスタンバイモードへの移行を指示する。これに伴い、メイン電源制御部ＣＣ２は、サブ電源制御部ＣＣ４にスタンバイモードへの移行指示である信号ＳＴＢを出力する。
【００６８】
サブ電源制御部ＣＣ４は、メイン電源制御部ＣＣ２からの信号ＳＴＢの入力に応答して、ＭＡＩＮ信号をオフする。すなわち、ＭＡＩＮ信号を「Ｌ」レベルに設定する。
【００６９】
ＭＡＩＮ信号が「Ｌ」レベルに設定されることに伴い、スイッチＱ５がオフする。これにより、リレーコイルＲＹ１ｘへの電流経路が遮断され、リレー回路ＲＹ１のリレースイッチＲＹ１ｙがオフ（非導通）する。
【００７０】
これにより、メインＤＣ／ＤＣコンバータ８２と交流電源Ｖａｃとが電気的に切離される。これによりメインＤＣ／ＤＣコンバータ８２が停止し、メイン電源制御部ＣＣ２への電圧供給は停止する。この場合、サブＤＣ／ＤＣコンバータ８４のみが動作している状態である。
【００７１】
さらに、一定期間、プリントジョブ等のジョブの入力が無い場合には、低消費電力モードに移行する。
【００７２】
制御部５０は、電源部８０のサブ電源制御部ＣＣ４に低消費電力モードへの移行指示であるＳＳＴＢ信号を出力する。
【００７３】
サブ電源制御部ＣＣ４は、ＳＳＴＢ信号の入力に応答して、ＯＦＦ信号をオンする。すなわち、ＯＦＦ信号を「Ｈ」レベルに設定する。
【００７４】
ＯＦＦ信号が「Ｈ」レベルに設定されることに伴い、スイッチＱ４がオンする。これにより、リレー回路ＲＹ３のリレーコイルＲＹ３ｘに電流が流れ、リレー回路ＲＹ３のリレースイッチＲＹ３ｙがオン（導通）する。
【００７５】
これにより、交流電源Ｖａｃが駆動回路８６とが電気的に結合される。交流電圧は、ダイオードＤ１４に半波整流され、抵抗素子Ｒ２とリレーコイルＲＹ２Ｒｘの直流抵抗成分により分圧される。この分圧された信号をコンデンサＣ７にて平滑し、ツェナ−ダイオードＺＤ２によりリレーコイルＲＹ２Ｒｘの印加最大電圧以下にクランプする。これにより、リレースイッチＲＹ２ｙがオフ（非導通）する。
【００７６】
これにより、サブＤＣ／ＤＣコンバータ８４と交流電源Ｖａｃとが電気的に切離される。また、平滑コンデンサＣ４と直列に設けられたリレースイッチＲＹ２ｙもオフ（非導通）し、平滑コンデンサＣ４とノードＮｆとが電気的に切離される。
【００７７】
したがって、サブＤＣ／ＤＣコンバータ８４と交流電源Ｖａｃとが電気的に切離される。これによりサブＤＣ／ＤＣコンバータ８４が停止し、サブ電源制御部ＣＣ４への電圧供給は停止する。すなわち、消費電力は０Ｗ状態となる。
【００７８】
なお、本例においては、リレー回路ＲＹ３のリレースイッチＲＹ３ｙを導通して、リレースイッチＲＹ２ｙをオフ（非導通）する場合について説明したが、電源ＯＦＦボタン２０８を押下した場合についても同様である。具体的には、スイッチＳ３が導通することにより、リレースイッチＲＹ２ｙがオフ（非導通）するため、消費電力は０Ｗ状態となる。
【００７９】
また、リレースイッチＲＹ２ｙがオフ（非導通）した際に、平滑コンデンサＣ４とノードＮｆとの電気的な結合も切離される。これにより、平滑コンデンサＣ４に蓄積された電荷の放電を阻止し、再度、リレースイッチＲＹ２ｙがオン（導通）した際における平滑コンデンサＣ４の充電時間を短くして、サブ電源制御部ＣＣ４の復帰時間を短縮することが可能となる。
【００８０】
また、スタンバイモードにおいて、画像形成装置１００において、プリントジョブ等のジョブの入力が有った場合には、サブ電源制御部ＣＣ４からＭＡＩＮ信号が「Ｈ」レベルに設定される。これに伴い、リレー回路ＲＹ１のリレースイッチＲＹ１ｙがオン（導通）して、上述したのと同様に、メインＤＣ／ＤＣコンバータ８２と交流電源Ｖａｃとが電気的に結合される。そして、上述したのと同様に所定電圧（２４Ｖ，５Ｖ）がメイン電源制御部ＣＣ２に供給され、通常動作モードに移行する。
【００８１】
次に、低消費電力モードからの復帰について説明する。
復帰ボタン２１４を押下することによりスイッチＳ２が導通する。これにより交流電源Ｖａｃが駆動回路８６とが電気的に結合される。交流電圧は、ダイオードＤ１３に半波整流され、抵抗素子Ｒ１とリレーコイルＲＹ２Ｓｘの直流抵抗成分により分圧される。この分圧された信号をコンデンサＣ６にて平滑し、ツェナ−ダイオードＺＤ１によりリレーコイルＲＹ２Ｓｘの印加最大電圧以下にクランプする。これにより、リレースイッチＲＹ２ｙがオン（導通）する。
【００８２】
これにより、上述したようにサブＤＣ／ＤＣコンバータ８４と交流電源Ｖａｃとが電気的に結合される。そして、所定電圧（５Ｖ）がサブ電源制御部ＣＣ４に供給される。
【００８３】
また、サブ電源制御部ＣＣ４は、所定電圧の供給に従い起動し、ＭＡＩＮ信号がオンし、リレー回路ＲＹ１のリレースイッチＲＹ１ｙがオン（導通）して、メインＤＣ／ＤＣコンバータ８２と交流電源Ｖａｃとが電気的に結合される。そして、上述したのと同様に所定電圧（２４Ｖ，５Ｖ）がメイン電源制御部ＣＣ２に供給され、通常動作モードに移行する。
【００８４】
当該動作により低消費電力モードから復帰動作が行われる。
また、交流電源Ｖａｃが一定時間以上出力が停止することにより、サブ電源制御部ＣＣ４に入力される直流電圧である所定電圧（５Ｖ）の入力が一定電圧以下に低下したと判断される場合には、サブ電源制御部ＣＣ４は、ＯＦＦ信号を「Ｈ」レベルに設定する。これにより、上述したようにリレー回路ＲＹ３のリレーコイルＲＹ３ｘに電流が流れ、リレー回路ＲＹ３のリレースイッチＲＹ３ｙがオン（導通）する。そして、サブＤＣ／ＤＣコンバータ８４と交流電源Ｖａｃとが電気的に切離される。当該動作により、交流電源Ｖａｃが不安定の場合には、安全に電源供給を停止することが可能である。また、この際、ＭＡＩＮ信号を「Ｌ」レベルに設定する。上述したようにＭＡＩＮ信号が「Ｌ」レベルに設定されることに伴い、リレーコイルＲＹ１ｘへの電流経路が遮断され、リレー回路ＲＹ１のリレースイッチＲＹ１ｙがオフ（非導通）する。そして、メインＤＣ／ＤＣコンバータ８２と交流電源Ｖａｃとが電気的に切離される。当該処理により、交流電源Ｖａｃが復帰した場合、不用意にメイン電源制御部ＣＣ２が起動することを防止することが可能である。
【００８５】
なお、本例においては、一例として、復帰ボタン２１４を押下することによりスイッチＳ２が導通する場合について説明したが、復帰ボタン２１４に限られず、別の操作によりスイッチＳ２が導通するようにしても良い。例えば、ユーザが原稿台２１に直接原稿を載置するために自動原稿搬送装置を持ち上げたことを検知する検知機構を設けて、当該検知機構による検知に従って、スイッチＳ２を導通させるようにしても良い。なお、当該操作に限られず、別の操作を検知して同様の動作を実行するように制御しても良い。
【００８６】
本実施の形態に従う電源部８０は、交流電源Ｖａｃとの電気的な接続を制御するリレー回路ＲＹ２を駆動する駆動回路８６が交流電源を駆動電源として動作する構成であり、低消費電力モードにおいて、電源部８０の消費電力を０Ｗ状態に設定することができる。また、復帰する際にも交流電源を駆動電源とするため容易に復帰させることが可能である。
【００８７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８８】
１０  画像形成部、１５，１６  給紙部、２０  原稿搬送部、２１  原稿台、２２  搬送ローラ、２３  排紙トレイ、２６  画像読取部、３０  後処理部、４０  定着部、５０  制御部、６０  入力部、７０  メモリ、８０  電源部、８２，８４  ＤＣ／ＤＣコンバータ、８６  駆動回路、８８  力率改善回路、１００  画像形成装置。
【図１】
0005533439.tif 000002
【図２】
0005533439.tif 000003
【図３】
0005533439.tif 000004
【図４】
0005533439.tif 000005
【図５】
0005533439.tif 000006